(57)【要約】      （修正有）【課題】スカート丈を伸長させたり、短くさせたりすることが、簡単に実行でき、かつウエスト部分のごろつき感のない、ファッショナブルなスカートを提供する。【解決手段】スカート本体とスカート本体の上端縁部に連結するウエスト部２０よりなり、スカート本体とウエスト部との連結部２５に装飾部３０を形成したスカート１００であって、ウエスト部を連結部よりスカート本体の表側に折りたたんだ時、装飾部がウエスト部の上端縁部に立ち上がることを特徴とする。【選択図】図２
0003216995.tif 000002
【実用新案登録請求の範囲】
【請求項１】
スカート本体と、該スカート本体の上端縁部に連結するウエスト部よりなり、
前記スカート本体とウエスト部との連結部に装飾部を形成してなるスカート。
【請求項２】
前記ウエスト部とスカート本体の表面の連結部に装飾部を形成するスカートにおいて、前記ウエスト部を連結部より前記スカート本体の裏側に折りたたんだ時、前記装飾部がスカート本体の上端縁部に立ち上がることを特徴とする請求項１記載のスカート。
【請求項３】
前記ウエスト部とスカート本体の裏面の連結部に装飾部を形成するスカートにおいて、前記ウエスト部を連結部より前記スカート本体の表側に折りたたんだ時、前記装飾部がウエスト部の上端縁部に立ち上がることを特徴とする請求項１記載のスカート。
【請求項４】
スカート本体と、該スカート本体の上端縁部に連結するウエスト部よりなり、
前記スカート本体の表側とウエスト部との連結部に装飾部を形成し、前記スカート本体の裏側とウエスト部との連結部に装飾部を形成してなるスカート。
【請求項５】
前記装飾部は、前記ウエスト部の素材、あるいはスカート本体の素材より形成されていることを特徴とする請求項１乃至４記載のスカート。
【請求項６】
前記装飾部は、前記ウエスト部の素材、あるいはスカート本体の素材とは異なる素材より形成されていることを特徴とする請求項１乃至４記載のスカート。
【請求項７】
前記スカート本体とウエスト部との連結部に形成される前記装飾部の長さは、０．５ｃｍ〜７ｃｍであることを特徴とする請求項１乃至６記載のスカート。
【請求項８】
前記ウエスト部を前記連結部よりスカート本体の表側、あるいは裏側に折りたたむことにより、スカートの丈の調節可能な請求項１又は４記載のスカート。
【考案の詳細な説明】
【技術分野】
【０００１】
本考案はスカートに関し、特にウエスト部分による着丈の調節が可能な衣服、特にスカートに関する。
【背景技術】
【０００２】
スカート丈は、上衣とのバランス、時代の流行、着用者の好み等により、長さの調節をしている。
一枚のスカートの使用において、もう少しスカート丈を短くしたい場合、裾を上げたり、ウエスト部分を折り返し、または巻き込んでスカト丈の調節を行っていた。
しかし、裾の上げ降ろしは手間のかかる作業であり、また、折り返し、巻きこみによりスカート丈を調節した場合、スカートのウエスト部分は折り返し・巻き込み分の厚みが増すと共に、ウエスト部とスカート本体との境界部分の裏生地、また使用生地の裏地がウエスト部分に現れて、体裁の悪いものとなっていた。
【０００３】
スカート丈の調節機構の背景技術としては、実開昭５８−４８７０３号公報に記載されている学生用スカートにおいては、スカート本体の内側上部に縫い揚げを形成しておき、着用者の成長に合わせて該縫い揚げ部を解消することにより、スカート丈を延ばす構成が開示されている。
また、特公昭４０−４１１０号公報には、スカートの有効長さを簡単かつ効果的に変更可能なスカート構造が開示されている。
【先行技術文献】
【特許文献】
【０００４】
【特許文献１】実開昭５８−４８７０３号公報
【特許文献２】特公昭４０−４１１０号公報
【考案の概要】
【考案が解決しようとする課題】
【０００５】
スカート丈の調節機構においては、特許文献１に開示されているように、学生服における成長に伴ってのスカート丈の伸長が主流となっていた。
また、特許文献２に開示されているスカート丈の調整機構においては、段階的に丈を延ばすことが出来るが、スカート丈を短くする要望には満足するものではなかった。
【０００６】
そこで、本考案のスカートは、着用者の好み・全体的なファッション性・流行などにより、スカート丈を伸長させたり、短くさせたりすることが、簡単に実行でき、かつウエスト部分のごろつき感のない、ファッショナブルなスカートを提供することにある。
【課題を解決するための手段】
【０００７】
本考案のスカートは、スカート本体と、該スカート本体の上端縁部に連結するウエスト部よりなり、前記スカート本体とウエスト部との連結部に装飾部を形成した構成を基本的に具備する。
前記ウエスト部とスカート本体の表面の連結部に装飾部を形成するスカートにおいて、前記ウエスト部を連結部より前記スカート本体の裏側に折りたたんだ時、前記装飾部がスカート本体の上端縁部に立ち上がることを特徴とする。
前記ウエスト部とスカート本体の裏面の連結部に装飾部を形成するスカートにおいては、前記ウエスト部を連結部より前記スカート本体の表側に折りたたんだ時、前記装飾部がウエスト部の上端縁部に立ち上がることを特徴とする。
【考案の効果】
【０００８】
本考案のウエスト部とスカート本体との連結部に装飾部を形成するスカートは、着用者の好み・全体的なファッション性・流行などにより、スカート丈を伸長させたり、短くさせたりすることが、簡単に実行でき、かつウエスト部分のごろつき感のない、ファッショナブルなスカートを提供する。
【図面の簡単な説明】
【０００９】
【図１】図１は本考案のスカート全体図。
【図２】図２はウエスト部を折り返したスカートの全体図。
【図３】図３はウエスト部の構成説明図。
【図４】図４はウエスト部の構成説明図。
【図５】図５は図２のＸ−Ｘ断面説明図。
【図６】図６は実施例２の構成説明図。
【図７】図７は実施例２のウエスト部を折り返したスカートの全体図。
【図８】図８は実施例３の構成説明図。
【図９】図９は実施例３のウエスト部を折り返したスカートの全体図。
【図１０】図１０は実施例４のウエスト部の説明図。
【考案を実施するための形態】
【００１０】
本考案のスカートは、ウエスト部分に設けた装飾機構により、スカート丈の調節を行うと共に、スカート丈の調節後においても、ウエスト部分の体裁を損なうことが無い構成となっている。
以下、図面を参照して実施例で詳述する。
【実施例１】
【００１１】
図１はスカート１００の全体図、図２はスカート丈を短くした状態のスカート全体図、図３、４はウエスト部の構成説明図である。
スカート１００はスカート本体１０と、ウエスト部２０を有し、スカート本体１０とウエスト部２０はスカート本体１０の上部で連結されている。
スカート本体は、表生地１０Ａと裏生地１０Ｂを重合して形成されている。
ウエスト部の形成を図３，４により説明する。
ウエスト部２０は、スカート本体１０の表生地を使用し、ベルト巾Ｆで折り返して二重の帯状となっている。ウエスト部の帯状内に芯材やゴム、例えば平ゴムを挿入することもある。
【００１２】
ウエスト部２０の形成は、まずスカート本体１０とウエスト生地２０Ａを中表に合わせて重合し、重合したスカート本体１０とウエスト部２０の生地２０Ａを、上縁を縫合（１５）により連結する。次に該縫合１５部分からウエストの生地２０Ａを折り上げ、ベルト寸法Ｆで折り返し、ウエスト生地２０Ａを二重となし、巾寸法Ｆの輪状のウエスト部２０を形成する。
次にスカート本体１０の裏生地側に折り返されたウエスト部２０のウエスト生地２０Ａの、その端縁を内側に折り込み（図４参照）、スカート本体１０に縫合により連結２５する。この折り込み寸法を寸法Ｓとする。これにより、スカート本体１０の裏側であって、ウエスト部２０とスカート本体１０の裏生地１０Ｂとの境界（連結部分２５）に連結した寸法Ｓの輪状の装飾部３０を形成する。
【００１３】
このように形成するスカート１００は、スカート本体１０の表生地１０Ａの上部にウエスト部２０が連結される。スカート本体１０の裏生地１０Ｂの上部は、ウエスト部２０の折り返し部が連結され、ウエスト部２０の下端でスカート本体１０との境界部分（連結部分２５）には断面輪状の装飾部３０が形成されている。
【００１４】
この形態のスカート１００のスカート丈を短くするには、ウエスト部２０を連結部分２５からスカート本体１０の表面１０Ａ側に折り返す。
スカート１００は、スカート丈が折り返されたウエスト部２０の幅寸法Ｆ分短くなる。
ウエスト部２０は、スカート裏生地１０Ｂ側に連結されているウエスト部２０がスカート表面１０Ａ上部に現れる。このとき、ウエスト部２０とスカート裏生地１０Ｂ側との連結部２５に形成されている装飾部３０は、ウエスト部２０の上部に立ち上がる。装飾部３０は、ウエスト部２０の表生地が現出しているので、装飾部３０はウエスト部２０に連結した帯状の装飾となり、スカート裏生地１０Ｂが現れることがなく、ウエスト部の上縁に装飾部３０を配設したスカート丈を短くしたスカート１００となる。
ここで、装飾部３０の幅寸法Ｓは、０．５ｃｍ〜７ｃｍとする。この幅寸法は装飾部の素材にもよるが、素材が薄いものであれば長く、素材が厚いものであれば短くすると、ウエスト部分が嵩張らない。好ましくは０．５ｃｍ〜５ｃｍとしている。以下の実施例においても同様である。
スカート丈を長くしたい場合は、ウエスト部の折り返しを反転させることによりスカート丈を長くすることが出来る。
【００１５】
なお、上記においては、スカート本体を表生地と裏生地の二重としたスカートの例を説明したが、スカート本体は表生地のみの一重構成であっても、スカート本体の裏面のウエスト部との境界部分に装飾部を形成することにより、同様にウエスト部を折り返すことにより、スカート丈が短くなり、ウエスト部の上部に装飾部が立ち上がる。
【実施例２】
【００１６】
実施例１においては、装飾部はウエスト部の生地を２重とした構成となっているが、この実施例では、装飾部は一枚仕立ての構成となっている。また、スカート本体は一重構成となっている。
図６に示すように、スカート本体１０の裏面１０Ｂ‘とウエスト部２０との連結部分２５に装飾部となるリボン状テープ４０を配設する。
【００１７】
この形態のスカート１００‘のスカート丈を短くするには、ウエスト部２０を連結部分２５からスカート本体１０’の表面１０Ａ’側に折り返す。
スカート１００‘は、スカート丈が折り返されたウエスト部２０の幅寸法分短くなる。
そして、ウエスト部２０の裏面側に連結されているリボン状のテープ４０がウエスト部２０の上部に立ち上がる。リボン状のテープ４０はウエスト部２０に連結した装飾となり、ウエスト部の上縁にリボン（装飾部）４０を配設したスカート丈が短いスカート１００‘となる。・・・図７参照
【００１８】
この実施例では、装飾部としてリボン状テープを使用した例を示したが、レースなど、装飾効果を奏する素材を使用可能である。また、ウエスト使用生地を延設して装飾部とすることもできる。
【実施例３】
【００１９】
この実施例は、スカートの表面側に装飾部を形成している。・・・図８、９参照
この実施例に示すスカート１５０は、スカ−ト１５０の表面１５０Ａとウエスト部２０との連結部に装飾部５０を配設している。
装飾部５０はスカート１５０の表面１５０Ａとウエスト部２０との間に挿入して配設している。
この装飾部５０はスカート１５０と同じ生地、あるいはリボン・レース状のテープ等使用可能である。
【００２０】
このスカート１５０は、通常の使用において、装飾部５０がスカート表面１５０Ａ上部のウエスト部２０との境界部分を飾り、スカートのデザイン性を高める。
また、スカート丈を短くしたい場合は、ウエスト部２０をスカートの裏側に折りこむ。スカート１５０の表面１５０Ａとウエスト部２０との境界に配設するリボン・レース等の装飾部５０がスカート上部に現れて、趣の異なるスカートとなる。
【００２１】
以上、ウエスト部を輪状とした例を示したが、ウエスト部にゴム糸を縫い込んで伸縮部を形成する通称「シャーリング」構成の衣服においても、ウエスト生地とスカート本体との連結部分に装飾部材を配設することで、本考案の目的を達成することが出来る。
また、装飾部をスカート本体とウエスト部との間に挿入する例を示したが、ウエスト生地を延設して、折り曲げることで装飾部を形成してもよい。
【実施例４】
【００２２】
この実施例は、スカート本体２００Ａの表面側とウエスト部２０の連結部に第一の装飾部６０を形成している。さらに、スカート本体２００Ａの裏面側とウエスト部２０の連結部に第二の装飾部７０を形成している。・・・図１０参照
この実施例に示すスカート２００は、ウエスト部をスカート本体２００Ａの表側に折りたたみ、スカート丈を短くすると、ウエスト部２０の上部に第二の装飾部７０が立ち上がる。
あるいはウエスト部２０をスカート本体２００Ａの裏側に折りたたむことにより、スカート本体２００Ａの上部に第一の装飾部６０が立ち上がる。
【００２３】
この実施例のスカート２００は、一枚のスカートの表面側には第一の装飾部６０が、スカートの裏面側には第二の装飾部７０が配設されているので、ウエスト部をスカート本体２００Ａの表側に折った場合と、ウエスト部をスカート本体の裏側に折りたたんだ場合では異なる装飾部がスカート上部に立ち上がり、デザイン性を高める。
また、第一の装飾部６０と第二の装飾部７０の色を変えたり、素材を変えることにより、ウエスト部を折ったとき、装飾部が際立ち装飾効果を高める。さらに、スカート生地をリバーシブル生地とすることにより、スカート本体、ウエスト部と装飾部との組み合わせのバリエーションが広がり、一層の装飾効果を奏する。
【００２４】
さらに、上記実施例においてはスカートとして説明したが、本機構の着丈調節は、脚部挿入部分を有するキュロット、ワイドパンツ、パンツ等、着用者がウエスト部で着丈等の装着調整する構成の衣服に応用可能である。
【符号の説明】
【００２５】
１０  スカート本体
２０  ウエスト部
２５  連結部
３０  ４０  ５０  ６０  ７０  装飾部
１００  １００‘  １５０  ２００  スカート
【図１】
0003216995.tif 000003
【図２】
0003216995.tif 000004
【図３】
0003216995.tif 000005
【図４】
0003216995.tif 000006
【図５】
0003216995.tif 000007
【図６】
0003216995.tif 000008
【図７】
0003216995.tif 000009
【図８】
0003216995.tif 000010
【図９】
0003216995.tif 000011
【図１０】
0003216995.tif 000012